(57)【要約】【課題】植物の植栽機能並び小動物の棲息が可能な側溝用ブロックを得る。【解決手段】側溝用ブロック１に通路用ブロック５を並設する。側溝用ブロック１と通路用ブロック５とを連通する切欠部15を形成し、側溝用ブロック１と通路用ブロック５との間で小動物の出入りを可能とする。通路用ブロック５内に仕切り壁９，10を形成し、この間に盛土することにより、盛土部分に植物が植生することが可能となる。これととも、盛土によって通路用ブロック５の底部から通路用ブロック５の上方開口部分に至る傾斜状の出入通路８が形成され、通路用ブロック５内外の小動物の出入りが可能である。【選択図】      図２
2004197363.tif 000002
【特許請求の範囲】
【請求項１】
上方が全面開放した断面Ｕ字状の側溝用ブロックにおいて、この側溝用ブロックの外面側に出入通路を区画形成する上方が全面開放した通路用ブロックを並設するとともに、前記出入通路と連通する切欠部を前記側溝用ブロックの側壁に設けたことを特徴とする側溝用ブロック。
【請求項２】
前記側溝用ブロックと前記通路用ブロックの底部に前記切欠部と連続して前記側溝用ブロックと前記通路用ブロックに跨る開口部を形成したことを特徴とする請求項１記載の側溝用ブロック。
【請求項３】
前記通路用ブロックの内部に仕切り壁を形成し、この仕切り壁で仕切られた空間部に盛土して前記出入通路を形成したことを特徴とする請求項１又は２記載の側溝用ブロック。
【請求項４】
前記通路用ブロックが前記側溝用ブロックの一方の側壁部と対向する側壁部と、これら各側壁部を連結する一対の連結壁で構成され、かつ、各側壁部の間に高さが異なる複数の仕切り壁を架設し、これら仕切り壁で仕切られた空間部に盛土することによって傾斜した出入通路を形成したことを特徴とする請求項３記載の側溝用ブロック。
【発明の詳細な説明】
【０００１】
【産業上の利用分野】
本発明は、側溝用ブロックに関し、特に、動植物が棲息可能な側溝用ブロックに関する。
【０００２】
【従来の技術】
従来の側溝用ブロックは、特許文献１に示すように、流れ込んだ雨水や排水が低地側に流れるように底面に任意のコンクリートの傾斜を設ける必要がある関係上、底面が開放した断面逆Ｕ字状に成形されている。
【０００３】
このような、Ｕ字状の側溝用ブロック、特に深底の側溝用ブロックは、蛙やバッタなどの小動物が側溝用ブロックの内部に入り込んだ場合、側溝用ブロックの高い側壁部が障害となって、側溝用ブロックから外部に出ることができないことから、側溝用ブロックは小動物の棲息に適した環境ではない。また、主に排水を目的とするコンクリート製の側溝用ブロックにあっては植物が植生しないことから、植物やこれに集まる昆虫類に棲息に適した環境でもない。
【０００４】
一方、近年、小動物や植物が棲息可能な環境が少なくなってきつつあり、小動物や植物の棲息に適した環境が一旦、破壊された場合、その環境の回復は極めて困難である。
【０００５】
そこで本発明は、小動物や植物が棲息可能な側溝用ブロックを提供することを目的とする。
【０００６】
【特許文献１】
特開平７−２５９１７１号公報
【０００７】
【課題を解決するための手段】
前記課題を解決するため、請求項１の側溝用ブロックは、上方が全面開放した断面Ｕ字状の側溝用ブロックにおいて、この側溝用ブロックの外面側に出入通路を区画形成する上方が全面開放した通路用ブロックを並設するとともに、前記出入通路と連通する切欠部を前記側溝用ブロックの側壁に設けものである。
【０００８】
上記構成により、側溝用ブロックの内部あるいは外部に棲息する小動物が切欠部を通って側溝用ブロックから通路用ブロックあるいは通路用ブロックから側溝用ブロックへと自由に移動できるとともに、通路用ブロックの出入通路を通って通路用ブロック内外の出入りが可能となる。
【０００９】
請求項２の側溝用ブロックは、請求項１記載の側溝用ブロックにおいて、前記側溝用ブロックと前記通路用ブロックの底部に前記切欠部と連続して前記側溝用ブロックと前記通路用ブロックに跨る開口部を形成したものである。
【００１０】
上記構成により、開口部に溜まった水溜りに水生動物が棲息することが可能となる。
【００１１】
請求項３の側溝用ブロックは、請求項１又は２記載の側溝用ブロックにおいて、前記通路用ブロックの内部に仕切り壁を形成し、この仕切り壁で仕切られた空間部に盛土して前記出入通路を形成したものである。
【００１２】
上記構成により、盛土した部分に植物が植生し、植栽機能を有するとともに、植物に集まる昆虫類などの棲息にも適した環境となる。
【００１３】
請求項４の側溝用ブロックは、請求項３記載の側溝用ブロックにおいて、前記通路用ブロックが前記側溝用ブロックの一方の側壁部と対向する側壁部と、これら各側壁部を連結する一対の連結壁で構成され、かつ、各側壁部の間に高さが異なる複数の仕切り壁を架設し、これら仕切り壁で仕切られた空間部に盛土することによって傾斜した出入通路を形成したものである。
【００１４】
上記構成により、通路用ブロックの底部から通路用ブロックの上方開口部分に至る傾斜状の出入通路が形成され、側溝用ブロック内外の小動物の出入りが容易となる。
【００１５】
【実施例】
以下、本発明の実施例を添付図面を参照しながら具体的に説明する。図１〜図５は本発明の一実施例を示すものであり、同図において、１は上方が開放した断面Ｕ字状の側溝用ブロックであり、底壁部２と、この底壁部２の両端から立設する一対の側壁部３，４を備えている。
【００１６】
５は側溝用ブロック１に並設する枠状の通路用ブロックであり、前記側溝用ブロック１の一方の側壁部３と対向する側壁部６と、これら側壁部３，６を連結する一対の連結壁７とで構成され、これら側壁部３，６と連結壁７とで出入通路８を区画形成している。また、出入通路８の内部には２つの仕切り壁９，10が側壁部３，６の間に架設されている。なお、通路用ブロック５の底部を開口しており、通路用ブロック５の底部には仕切り壁９，10で区画された３つの開口部11，12，13が形成されている。そして、通路用ブロック５の一端側に位置する開口部13が側溝用ブロック１の底壁部２のほぼ中央部まで延在している。これにより、側溝用ブロック１と通路用ブロック５に跨る開口部13が形成され、さらに、この開口部13と連続するように側溝用ブロック１と通路用ブロック５とを隔てる前記側溝用ブロック１の側壁部３に切欠部15が形成されている。また、前記仕切り壁９，10は高さが異なり、連結壁７から開口部13に向かって次第に低くなる。なお、通路用ブロック１の幅は側溝用ブロック１の幅のほぼ半分であり、また、出入通路８の内壁面を構成する側溝用ブロック１の側壁部３と通路用ブロック５側壁部６はテーパ状に形成されている。
【００１７】
図５は現場における設置状態を示すものであり、整地した地盤の上に栗石又は砂利を敷いて転圧し、その上に側溝用ブロック１を載置する。なお、本実施例の側溝用ブロック１は、通路用ブロック５を有しない通常の断面Ｕ字状の側溝用ブロックｂとともに設置されるものであり、通常の側溝用ブロックｂと連続して側溝用ブロックｂ間に設置される。すなわち、本実施例の側溝用ブロック１は側溝用ブロックｂの間に所定間隔毎に設置されるものである。このように、通常の側溝用ブロックｂとともに側溝用ブロック１を設置した後、連結壁７と仕切り壁９及び仕切り壁９と仕切り壁10とで区画された空間部16，17に土Ｔなどを充填して盛土する。これにより、図３に示すように通路用ブロック５の底部から通路用ブロック５の上方開口部分に至る傾斜状の出入通路８が形成される。
【００１８】
以上のように構成される本発明は、側溝用ブロック１と通路用ブロック５とを連通する切欠部15が形成されいるため、側溝用ブロック１あるいは通常の側溝用ブロックｂの内部に小動物が迷い込んだとしても、切欠部15から通路用ブロック５へと移動することができる。そして、通路用ブロック５の内部には、連結壁７，仕切り壁９，10の間の空間部16，17に充填した土Ｔによって、通路用ブロック５の底部から通路用ブロック５の上方開口部分に至る傾斜状の出入通路８が形成されるから、通路用ブロック５へと移動した小動物は傾斜した出入通路８を通って自由に出入りすることができる。しかも、盛土した部分に植物が植生し、これに集まる昆虫類なども棲息する。さらに、側溝用ブロック１と通路用ブロック５に跨る開口部13には水溜りができ、そこに水生動物も棲息することが可能であり、これら植物並びに動物にとって好ましい棲息環境を形成することができる。
【００１９】
以上、本発明の一実施例について詳述したが、本発明は、前記実施例に限定されるものではなく、本発明の要旨の範囲内で種々の変形実施が可能である。例えば、前記実施例では、通路用ブロック５の底部を開口させて側溝用ブロック１の底部に仕切り壁９，10で区画された３つの開口部11，12，13を形成した例を示したが、側溝用ブロック１と通路用ブロック５に跨る開口部13以外は、開口部11，12を塞ぐような構造であってもよい。さらに、仕切り壁９，10の数や側溝用ブロック１に対する通路用ブロック５の比率なども適宜設定するばよい。
【００２０】
【発明の効果】
請求項１の発明の側溝用ブロックによれば、上方が全面開放した断面Ｕ字状の側溝用ブロックにおいて、この側溝用ブロックの外面側に出入通路を区画形成する上方が全面開放した通路用ブロックを並設するとともに、前記出入通路と連通する切欠部を前記側溝用ブロックの側壁に設けたものであるから、切欠部及び出入通路を通って小動物などが側溝用ブロックの内外に自由に出入りすることがきるから、側溝用ブロックが小動物などの棲息空間として機能する。
【００２１】
請求項２の発明の側溝用ブロックによれば、前記側溝用ブロックと前記通路用ブロックの底部に前記切欠部と連続して前記側溝用ブロックと前記通路用ブロックに跨る開口部を形成したものであるから、開口部に溜まった水溜りに水生動物が棲息することが可能となり、より好ましい棲息環境を形成することができる。
【００２２】
請求項３の発明の側溝用ブロックによれば、前記通路用ブロックの内部に仕切り壁を形成し、この仕切り壁で仕切られた空間部に盛土して前記出入通路を形成したものであるから、盛土した部分に植物が植生し、これに棲息する昆虫類なども増えるから、より好ましい棲息環境を形成することができる。
【００２３】
請求項４の発明の側溝用ブロックによれば、れるとともに、この仕切り壁は、前記側溝用ブロックの側壁部に形成した切欠部に向かって低くなるように複数の仕切り壁が架設され、これら仕切り壁で仕切られた空間部に盛土して傾斜した出入通路を形成したものであるから、通路用ブロックの底部から通路用ブロック５の上方開口部分に至る傾斜状の出入通路が形成され、側溝用ブロック内外の小動物の出入りが容易となる。
【図面の簡単な説明】
【図１】本発明の一実施例を示す側溝用ブロックの斜視図である。
【図２】同上、側溝用ブロックの平面図である。
【図３】同上、図２のＡ−Ａ線断面図である。
【図４】同上、図２のＢ−Ｂ線断面図である。
【図５】設置状態を示す側溝用ブロックの斜視図である。
【符号の説明】
１  側溝用ブロック
３  側溝用ブロックの側壁部
５  通路用ブロック
６  通路用ブロックの側壁部
７  連結壁
８  出入通路
９，10  仕切り壁
13  開口部
15  切欠部
【図１】
2004197363.tif 000003
【図２】
2004197363.tif 000004
【図３】
2004197363.tif 000005
【図４】
2004197363.tif 000006
【図５】
2004197363.tif 000007